(57)【要約】【課題】駆動回路とＣＣＤとの間の信号線の数等を削減できるＣＣＤ駆動信号伝送回路を提供する。【解決手段】ＲＳ（リセット信号）とＣＰ（クランプ信号）とを両信号の論理和をとることにより合成して伝送するとともに、ＲＳとＣＰとを合成した合成信号を伝送する合成信号伝送路２２にＬＶＤＳを適用することにより、駆動回路１１とＣＣＤ３１との間の信号線の数等を増大させることなく、またＲＳ、ＣＰに対して個別にＬＶＤＳを適用した場合よりも信号線の数等を減らしつつ、ＲＳ及びＣＰによるノイズ輻射の低減を図る。【選択図】図１
2008227750.tif 000002
【特許請求の範囲】
【請求項１】
駆動回路から出力される駆動信号をＣＣＤに伝送するＣＣＤ駆動信号伝送回路であって、
前記駆動回路から出力されたリセット信号とクランプ信号とを両信号の論理和をとることにより合成する合成回路と、
前記合成回路により合成された合成信号を伝送する合成信号伝送路と、
前記合成信号伝送路により伝送されてきた前記合成信号をリセット信号と前記クランプ信号とに分離して、前記ＣＣＤに与える分離回路と、を備えることを特徴とするＣＣＤ駆動信号伝送回路。
【請求項２】
請求項１に記載のＣＣＤ駆動信号伝送回路において、
前記合成信号伝送路は、低電圧差動信号を伝送可能なように２つの信号線を有しており、
前記ＣＣＤ駆動信号伝送回路は、
前記合成回路により合成された前記合成信号を低電圧差動信号に変換して前記合成信号伝送路に導入する送信側変換回路と、
前記合成信号伝送路によって伝送されてきた前記低電圧差動信号を前記合成信号に変換して前記分離回路に導入する受信側変換回路と、さらにを備えることを特徴とするＣＣＤ駆動信号伝送回路。
【発明の詳細な説明】
【技術分野】
【０００１】
本発明は、駆動回路から出力される駆動信号をＣＣＤ（Charge Coupled Device）に伝送するＣＣＤ駆動信号伝送回路に関する。
【背景技術】
【０００２】
一般にＣＣＤの駆動信号には、シフトゲート信号（以下「ＳＨ」という）、リセット信号（以下「ＲＳ」という）、クランプ信号（以下「ＣＰ」という）、転送クロック（以下「φ」という）が必要であるため、駆動信号を出力する駆動回路と、ＣＣＤとの間のケーブルの信号線の数や、コネクタの極数が増大しやすい。
【０００３】
一方、近年、スキャナ等での原稿の高速読取のため、ＣＣＤの駆動信号の周波数が上がっている。その影響により、駆動信号を伝送する信号線からのノイズ輻射が大きくなってきており、その対策の必要性が高まっている。そこで、このような高周波信号の伝送に対しては、低電圧差動伝送（Low Voltage Differential Signaling）（以下、「ＬＶＤＳ」という）が適用されている。下記特許文献１では、駆動信号と出力信号（画像信号）にＬＶＤＳが適用されており、下記特許文献２では、出力信号にＬＶＤＳが適用されている。しかし、ＬＶＤＳでは、１つの信号チャネルに対して２つの信号線が必要となり、信号線のさらなる増加を招くという問題がある。
【特許文献１】特開２００３−１６３７６６号公報
【特許文献２】特開２００６−２５３９８５号公報
【発明の開示】
【発明が解決しようとする課題】
【０００４】
そこで、本発明の解決すべき第１の課題は、駆動回路とＣＣＤとの間の信号線の数等を削減できるＣＣＤ駆動信号伝送回路を提供することである。
【０００５】
また、本発明の解決すべき第２の課題は、駆動回路とＣＣＤとの間の信号線の数等を増大させることなく、ＬＶＤＳを適用してノイズ輻射の低減が図れるＣＣＤ駆動信号伝送回路を提供することである。
【課題を解決するための手段】
【０００６】
上記の課題を解決するため、請求項１の発明では、駆動回路から出力される駆動信号をＣＣＤに伝送するＣＣＤ駆動信号伝送回路であって、前記駆動回路から出力されたリセット信号とクランプ信号とを両信号の論理和をとることにより合成する合成回路と、前記合成回路により合成された合成信号を伝送する合成信号伝送路と、前記合成信号伝送路により伝送されてきた前記合成信号をリセット信号と前記クランプ信号とに分離して、前記ＣＣＤに与える分離回路とを備える。
【０００７】
また、請求項２の発明では、請求項１の発明に係るＣＣＤ駆動信号伝送回路において、前記合成信号伝送路は、低電圧差動信号を伝送可能なように２つの信号線を有しており、前記ＣＣＤ駆動信号伝送回路は、前記合成回路により合成された前記合成信号を低電圧差動信号に変換して前記合成信号伝送路に導入する送信側変換回路と、前記合成信号伝送路によって伝送されてきた前記低電圧差動信号を前記合成信号に変換して前記分離回路に導入する受信側変換回路と、さらにを備える。
【発明の効果】
【０００８】
請求項１に記載の発明によれば、ＲＳ（リセット信号）とＣＰ（クランプ信号）とを両信号の論理和をとることにより合成して伝送するため、駆動回路とＣＣＤとの間の信号線の数等を削減できる。特に、ＲＳとＣＰは交互に１パルスずつパルスが出力される構成であるため、簡易な回路により合成、分離を行うことができる。
【０００９】
請求項２に記載の発明によれば、ＲＳとＣＰとを合成した合成信号を伝送する合成信号伝送路にＬＶＤＳを適用することにより、駆動回路とＣＣＤとの間の信号線の数等を増大させることなく、またＲＳ、ＣＰに対して個別にＬＶＤＳを適用した場合よりも信号線の数等を減らしつつ、ＲＳ及びＣＰによるノイズ輻射の低減が図れる。
【発明を実施するための最良の形態】
【００１０】
図１（ａ）は本発明の一実施形態に係るＣＣＤ駆動信号伝送回路が適用されたＣＣＤ駆動装置のブロック図であり、図１（ｂ）はそのＣＣＤ駆動装置の要部の構成を詳細に表した図である。このＣＣＤ駆動装置１は、図１（ａ）及び図１（ｂ）に示すように、駆動部２と、ラインセンサ部３と、駆動部２から出力される駆動信号をラインセンサ部３に伝送するケーブル４とを備えている。なお、このＣＣＤ駆動装置１は、スキャナ、コピー機、ファクシミリ、デジタルカメラ、ビデオカメラ等、ＣＣＤを備えた種々の機器に適用可能である。
【００１１】
駆動部２には、駆動回路１１と、合成回路１２と、送信側変換回路１３とを備えている。駆動回路１１は、マイコン等により構成され、後述するＣＣＤ３１の駆動信号（ＳＨ、ＲＳ、ＣＰ、φ）を出力する。合成回路１２は、ＯＲ回路等により構成され、駆動回路１１が出力するＲＳ、ＣＰを、両信号の論理和をとって合成して合成信号として出力する。送信側変換回路１３は、合成回路１２により合成された合成信号を低電圧差動信号に変換して、ケーブル４中の後述する合成信号伝送路２２に導入する。
【００１２】
ケーブル４は、ＳＨを伝送する信号線２１と、ＲＳとＣＰの合成信号が変換された低電圧差動信号を伝送する対を成す２つの信号線（例えば、ツイストペア線）２２ａ，２２ｂと、φを伝送する図示しない信号線とを有している。信号線２２ａ，２２ｂは、合成信号伝送路２２を構成している。
【００１３】
ラインセンサ部３は、ＣＣＤ３１と、受信側変換回路３２と、分離回路３３とを備えている。受信側変換回路３２は、信号線２２ａ，２２ｂによって伝送されてきた低電圧差動信号を合成信号に変換して分離回路３３に導入する。分離回路３３は、受信側変換回路３２から与えられた合成信号をＲＳとＣＰとに分離してＣＣＤ３１に与える。
【００１４】
分離回路３３の具体的な構成例としては、種々の構成が採用可能である。本実施形態では、Ｄフリップフロップ４１と、第１及び第２の２つＡＮＤ回路４２，４３とを備えて構成されている。より詳細には、受信側変換回路３２にから出力された合成信号が、Ｄフリップフロップ４１のＣ入力端子に入力されるとともに、第１及び第２のＡＮＤ回路４２，４３の一方の入力端子に入力される。Ｄフリップフロップ４１のＱbar出力端子の出力信号が第１のＡＮＤ回路４２の他方の入力端子に入力され、Ｄフリップフロップ４１のＱ出力端子の出力信号が第２のＡＮＤ回路４３の他方の入力端子に入力される。第１及び第２のＡＮＤ回路４２，４３の出力信号は、ＲＳ及びＣＰとして、ＣＣＤ３１のＲＳ入力端子及びＣＰ入力端子にそれぞれ入力される。また、ＳＨがＣＣＤ３１にＳＨ入力端子に入力されるとともに、Ｄフリップフロップ４１のクリア端子にも入力されるようになっている。
【００１５】
次に図１及び図２を参照して、本実施形態に係るＣＣＤ駆動装置１による駆動信号の伝送動作、特にＲＳ、ＣＰの伝送動作について説明する。なお、図２に示す信号の信号形態は一例を示すものであり、ＣＣＤ３１の製造規格等に応じて種々の信号形態が存在し得る。
【００１６】
駆動回路１１から出力されたＲＳ、ＣＰは、駆動部２内で合成回路１２により両信号の論理和がとられることにより合成信号（ＲＳ／／ＣＰ）として合成された後、送信側変換回路１３により低電圧差動信号に変換されて、信号線２２ａ，２２ｂに導入される。
【００１７】
そして、信号線２２ａ，２２ｂを伝送された低電圧差動信号は、ラインセンサ部３内に備えられた受信側変換回路３２により通常の信号（合成信号）に変換され、分離回路３３に導入される。合成信号（ＲＳ／／ＣＰ）が分離回路３３のＤフリップフロップ４１のＣ入力端子に入力されると、合成信号のパルスの立ち下がり毎にＤフリップフロップ４１のＱ出力端子の信号レベルがハイ、ローに交互に切り替えられる（Ｑbar出力端子の出力信号はその反対の位相で切り替えられる）。なお、Ｄフリップフロップ４１は、クリア端子にＳＨのパルスが入力される毎（すなわち、各ライン毎）に初期化されるようになっている。その初期化時のＱ出力端子及びＱbar出力端子の出力レベルは、ローレベルとハイレベルとにそれぞれ設定されている。
【００１８】
このＤフリップフロップ４１のＱ、Ｑbar出力信号を第１及び第２のＡＮＤ回路４２，４３に入力し、合成信号（ＲＳ／／ＣＰ）と論理積をとることにより、各ＡＮＤ回路４２，４３からＲＳ、ＣＰが分離された状態で出力されるようになっている。
【００１９】
すなわち、交互に１パルスずつパルスが出力される構成のＲＳとＣＰを、送信側である駆動部１１内で論理和により合成し、その合成信号を受信側であるラインセンサ部３にて、ラインの先頭から奇数番目のパルスと、偶数番目のパルスとに振り分けて、ＲＳとＣＰとしてＣＣＤ３１に入力するようになっている。
【００２０】
以上のように、本実施形態によれば、ＲＳとＣＰとを両信号の論理和をとることにより合成して伝送するとともに、ＲＳとＣＰとを合成した合成信号を伝送する合成信号伝送路２２にＬＶＤＳを適用することにより、駆動回路１１とＣＣＤ３１との間の信号線の数等を増大させることなく、またＲＳ、ＣＰに対して個別にＬＶＤＳを適用した場合よりも信号線の数等を減らしつつ、ＲＳ及びＣＰによるノイズ輻射の低減が図れる。特に、ＲＳとＣＰは交互に１パルスずつパルスが出力される構成であるため、Ｄフリップフロップ４１等を用いた簡易な回路により合成、分離を行うことができる。
【００２１】
なお、本実施形態では合成信号伝送路２２にＬＶＤＳを適用したが、合成信号伝送路２２にＬＶＤＳを適用しない構成とすることも可能であり、その場合には、駆動回路とＣＣＤとの間の信号線の数等を削減できるという効果が得られる。
【図面の簡単な説明】
【００２２】
【図１】（ａ）は本発明の一実施形態に係るＣＣＤ駆動信号伝送回路が適用されたＣＣＤ駆動装置のブロック図であり、（ｂ）はそのＣＣＤ駆動装置の要部の構成を詳細に表した図である。
【図２】図１のＣＣＤ駆動装置内で生成される主な信号のタイミングチャートである。
【符号の説明】
【００２３】
１  ＣＣＤ駆動装置
２  駆動部
３  ラインセンサ部
４  ケーブル
１１  駆動回路
１２  合成回路
１３  送信側変換回路
２１，２２ａ，２２ｂ  信号線
２２  合成信号伝送路
３１  ＣＣＤ
３２  受信側変換回路
３３  分離回路
【図１】
2008227750.tif 000003
【図２】
2008227750.tif 000004